(57)【要約】      （修正有）【課題】通路の段差を視認しやすくし、通行時の安全を確保することができるとともに、安価に製造可能な滑り止め部材を実現する。【解決手段】滑り止め部材１０は、透光性を有する樹脂からなる樹脂部材１１と、樹脂部材１１に埋設された反射部材１２とから構成されている。反射部材１２は、光を反射する薄板状の材料、例えば、アルミニウム箔などの金属箔により形成されている。樹脂部材１１に入射した光を滑り止め部材１０から反射光として出射することができるので、夜間など通路が暗い場合にも、滑り止め部材１０からの反射光により、滑り止め部材１０を視認しやすくすることができる。これにより、階段の段差を視認しやすくすることができ、通行の安全を確保することができる。また、光ファイバーやＬＥＤなどの外部照明装置を用いる必要がないため、安価に製造することができる。【選択図】図２
0003140957.tif 000002
【実用新案登録請求の範囲】
【請求項１】
段差を有する通路に設置される滑り止め部材であって、
透光性を有する樹脂材料からなり、上面に滑り止めとして作用する滑り止め部が形成され、下面において前記通路に固定される樹脂部材と、
前記樹脂部材に埋設され、前記樹脂部材に入射した光を反射する反射部材と、を備えたことを特徴とする滑り止め部材。
【請求項２】
階段の踏み板に、踏み板の前縁部に沿って設置されることを特徴とする請求項１に記載の滑り止め部材。
【請求項３】
前記反射部材は、薄板状の材料により形成されていることを特徴とする請求項１または請求項２に記載の滑り止め部材。
【請求項４】
前記反射部材は、金属箔を丸めて塑性変形させた後に拡げて形成したものであることを特徴とする請求項３に記載の滑り止め部材。
【請求項５】
前記反射部材は、前記樹脂部材の上面側の表面に文字または図形が記されていることを特徴とする請求項３に記載の滑り止め部材。
【請求項６】
前記反射部材は、前記樹脂部材の上面方向に対して凸である領域を備えたことを特徴とする請求項１ないし請求項５のいずれか１つに記載の滑り止め部材。
【請求項７】
前記反射部材は、外寸が前記樹脂部材の上面と下面との間隔より小さくなるように形成されている複数の小片を前記樹脂部材中に分散させてなることを特徴とする請求項１または請求項２に記載の滑り止め部材。
【請求項８】
前記反射部材は、線状の材料により形成されていることを特徴とする請求項１または請求項２に記載の滑り止め部材。
【請求項９】
前記反射部材は、網目状に形成されていることを特徴とする請求項８に記載の滑り止め部材。
【請求項１０】
前記反射部材は、綿状に形成されていることを特徴とする請求項８に記載の滑り止め部材。
【考案の詳細な説明】
【技術分野】
【０００１】
この考案は、通路に設置される滑り止め部材に関する。
【背景技術】
【０００２】
従来、例えば、階段などのように段差を有する通路には、滑り止めとして帯状のゴム、樹脂などからなる滑り止め部材が設置されている。ここで、夜間など通路が暗い場合には、階段などの段差を視認することが困難であるため、段差に躓いたり、階段を踏み外したりするおそれがある。
そこで、段差を視認しやすくするために、滑り止め部材を目立ちやすくする技術が提案されている。このような技術として、例えば、特許文献１には、滑り止め部材の表面に蓄光塗料を塗布する技術が開示されている。
また、光ファイバーやＬＥＤなどの外部発光装置により、滑り止め部材を目立ちやすくする技術もあり、特許文献２には、光ファイバー灯を内装した滑り止め部材が開示されている。
【特許文献１】実用新案登録第３１３４７２５号公報
【特許文献２】特開平１０−１０２７１２号公報
【考案の開示】
【考案が解決しようとする課題】
【０００３】
しかし、滑り止め部材の表面に蓄光塗料を塗布する方法では、蓄光塗料の発光特性が長期間の使用で低下するとともに、滑り止め部材が人の通行に伴い踏みつけられることにより蓄光塗料の剥離などを生じるという問題がある。
また、外部発光装置を備えた滑り止め部材は、設置に手間がかかるとともに高価である。
【０００４】
そこで、この考案では、通路の段差を視認しやすくし、通行時の安全を確保することができるとともに、安価に製造可能な滑り止め部材を実現することを目的とする。
【課題を解決するための手段】
【０００５】
この考案は、上記目的を達成するため、請求項１に記載の考案では、段差を有する通路に設置される滑り止め部材であって、透光性を有する樹脂材料からなり、上面に滑り止めとして作用する滑り止め部が形成され、下面において前記通路に固定される樹脂部材と、前記樹脂部材に埋設され、前記樹脂部材に入射した光を反射する反射部材と、を備えた、という技術的手段を用いる。
【０００６】
請求項１に記載の考案によれば、段差を有する通路に設置される滑り止め部材が、透光性を有する樹脂材料からなり、上面に滑り止めとして作用する滑り止め部が形成され、下面において通路に固定される樹脂部材と、樹脂部材に埋設され、樹脂部材に入射した光を反射する反射部材と、を備えているため、樹脂部材に入射した光を滑り止め部材から反射光として出射することができるので、夜間など通路が暗い場合にも、滑り止め部材からの反射光により、滑り止め部材を視認しやすくすることができる。これにより、階段などの通路の段差を視認しやすくすることができ、通行の安全を確保することができる。
また、光ファイバーやＬＥＤなどの外部照明装置を用いる必要がないため、安価に製造することができる。
【０００７】
請求項２に記載の考案では、請求項１に記載の滑り止め部材において、階段の踏み板に、踏み板の前縁部に沿って設置される、という技術的手段を用いる。
【０００８】
請求項２に記載の考案のように、本考案の滑り止め部材を、多くの段差からなる階段に用いると、階段の段差が視認しやすくなるため、階段の通行の安全を確保でき、好適に用いることができる。
【０００９】
請求項３に記載の考案では、請求項１または請求項２に記載の滑り止め部材において、前記反射部材は、薄板状の材料により形成されている、という技術的手段を用いる。
【００１０】
請求項３に記載の考案によれば、反射部材は、薄板状の材料により形成されているため、光を反射する面の面積を大きくすることができるので、滑り止め部材を視認しやすくすることができる。
【００１１】
請求項４に記載の考案では、請求項３に記載の滑り止め部材において、前記反射部材は、金属箔を丸めて塑性変形させた後に広げて形成したものである、という技術的手段を用いる。
【００１２】
請求項４に記載の考案によれば、反射部材の表面に不規則な凹凸が形成されるため、樹脂部材に入射した光が凹凸において乱反射し、光源がどの方向にあっても光を反射することができる。これにより、滑り止め部材を一層視認しやすくすることができる。
【００１３】
請求項５に記載の考案では、請求項３に記載の滑り止め部材において、前記反射部材は、前記樹脂部材の上面側の表面に文字または図形が記されている、という技術的手段を用いる。
【００１４】
請求項５に記載の考案のように、反射部材には、樹脂部材の上面側の表面に文字または図形を記すことができる。これにより、滑り止め部材から注意喚起の警告や広告などが視認できるようにすることができる。
【００１５】
請求項６に記載の考案では、請求項１ないし請求項５のいずれか１つに記載の滑り止め部材において、前記反射部材は、前記樹脂部材の上面方向に対して凸である領域を備えた、という技術的手段を用いる。
【００１６】
請求項６に記載の考案によれば、反射部材は、樹脂部材の上面方向に対して凸である領域を備えているため、樹脂部材に入射した光を、この凸である領域において広い範囲に反射させることができるので、光源の位置にかかわらず滑り止め部材を視認しやすくすることができる。
【００１７】
請求項７に記載の考案では、請求項１または請求項２に記載の滑り止め部材において、前記反射部材は、外寸が前記樹脂部材の上面と下面との間隔より小さくなるように形成されている複数の小片を前記樹脂部材中に分散させてなる、という技術的手段を用いる。
【００１８】
請求項７に記載の考案によれば、樹脂部材に小片からなる反射部材を分散させて埋設することができる。小片は乱雑な方向を向いているため、樹脂部材に入射した光を広い範囲に反射させることができるので、光源の位置にかかわらず滑り止め部材を視認しやすくすることができる。ここで、「小片」とは、粉状の材料も含む。
【００１９】
請求項８に記載の考案では、請求項１または請求項２に記載の滑り止め部材において、前記反射部材は、線状の材料により形成されている、という技術的手段を用いる。
【００２０】
請求項８に記載の考案のように、反射部材を線状の材料により形成することもできる。
【００２１】
請求項９に記載の考案では、請求項８に記載の滑り止め部材において、前記反射部材は、網目状に形成されている、という技術的手段を用いる。
【００２２】
請求項９に記載の考案のように、反射部材を網目状に形成することもできる。
【００２３】
請求項１０に記載の考案では、請求項８に記載の滑り止め部材において、前記反射部材は、綿状に形成されている、という技術的手段を用いる。
【００２４】
請求項１０に記載の考案によれば、反射部材の表面が乱雑な方向を向いているため、樹脂部材に入射した光を広い範囲に反射させることができるので、光源の位置にかかわらず滑り止め部材を視認しやすくすることができる。
【考案を実施するための最良の形態】
【００２５】
［第１実施形態］
この考案に係る滑り止め部材の第１実施形態について、階段に設置される滑り止め部材を例に、図を参照して説明する。
図１は、第１実施形態の滑り止め部材が階段に設置された状況を示す説明図である。図２は、第１実施形態の滑り止め部材の構造を示す説明図である。図２（Ａ）は、滑り止め部材を上面側から見た平面図であり、図２（Ｂ）は、図２（Ａ）のＡ−Ａ矢視断面図である。図３及び図４は、第１実施形態の滑り止め部材の変更例を示す断面図である。図５は、第１実施形態の滑り止め部材の変更例を示す平面図である。
なお、各図では、説明のために一部を拡大し、一部を省略して示している。
【００２６】
図１に示すように、滑り止め部材１０は、階段９０の踏み板９０ａの上に前縁部９０ｂに沿って設置されており、長手方向（階段の横幅方向）が階段の横幅に適合した寸法形状を有する帯状、例えば、厚さ５ｍｍ、幅４０ｍｍ、長さ１０００ｍｍに形成されている。滑り止め部材１０は、下面１１ｃ（図２）において、接着剤やねじなどの固定手段により、踏み板９０ａに固定されている。
【００２７】
図２に示すように、滑り止め部材１０は、透光性を有する樹脂からなる樹脂部材１１と、樹脂部材１１に埋設された反射部材１２とから構成されている。樹脂部材１１は、例えば、アクリル系樹脂により形成されている。ここで、樹脂部材１１は、透光性を備えていればよく、エポキシ系樹脂や各種着色を施した樹脂材料などにより形成することもできる。
【００２８】
樹脂部材１１の上面１１ａには、上面１１ａを踏んだときに滑ることを防止する滑り止めとして作用する滑り止め部１１ｂが形成されている。本実施形態では、滑り止め部１１ｂは半球状の突起として形成されている。ここで、滑り止め部１１ｂは、滑り止めとして作用すれば、突起に限定されるものではなく、例えば、長手方向または短手方向に溝状に形成してもよいし、上面１１ａの表面粗さを大きくした層として形成してもよい。
【００２９】
反射部材１２は、光を反射する薄板状の材料、例えば、アルミニウム箔などの金属箔により上面１１ａよりわずかに小さく形成されており、下面１１ｃと略平行になるように樹脂部材１１に埋設されている。
【００３０】
このような構成の滑り止め部材１０によれば、樹脂部材１１に入射した光を滑り止め部材１０から反射光として出射することができるので、夜間など通路が暗い場合にも、滑り止め部材１０からの反射光により、滑り止め部材１０を視認しやすくすることができる。これにより、階段９０の段差を視認しやすくすることができ、通行の安全を確保することができる。また、光ファイバーやＬＥＤなどの外部照明装置を用いる必要がないため、安価に製造することができる。
【００３１】
反射部材１２は、薄板状の材料により形成されているため、光を反射する面の面積を大きくすることができるので、滑り止め部材１０を視認しやすくすることができる。
【００３２】
反射部材１２の表面には不規則な凹凸部１２ａが形成されている。これにより、樹脂部材１１に入射した光が凹凸部１２ａにおいて乱反射するため、光源がどの方向にあっても光を反射することができる。従って、滑り止め部材１０を視認しやすくすることができるので、階段９０の段差の存在をわかりやすくすることができる。
【００３３】
次に、滑り止め部材１０の製造方法を示す。まず、滑り止め部材１０を作製するための所定の型に、予定する厚さの半分程度の樹脂材料（ここでは、アクリル系樹脂）を入れる。次に、金属箔を用意し、くしゃくしゃに丸めて塑性変形させた後に広げて、反射部材１２を形成する。この工程により、表面に不規則な凹凸が形成された反射部材１２を作製することができる。続いて、反射部材１２を型に流し込まれた樹脂材料に載置し、更に樹脂材料を流し込み反射部材１２を埋設し、硬化させる。そして、上面１１ａに滑り止め部１１ｂを形成することにより、滑り止め部材１０を製造することができる。ここで、滑り止め部１１ｂは、樹脂材料が硬化する前に上から型を押し当てて形成してもよいし、樹脂材料が硬化した後に加工して形成してもよい。
【００３４】
（変更例）
反射部材１２は、樹脂部材１１の上面１１ａの方向に対して凸である領域を備えているように形成してもよい。例えば、図３（Ａ）に示すように、上面１１ａに向かって凸である円弧状に形成することもできる。また、図３（Ｂ）に示すように波型に形成したり、図３（Ｃ）に示すように複数の山型からなる形状に形成したりすることもできる。これによれば、反射部材は、樹脂部材１１に入射した光を、円弧、波型、山型などの樹脂部材１１の上面１１ａの方向に対して凸である領域において広い範囲に反射させることができるので、光源の位置にかかわらず滑り止め部材を視認しやすくすることができる。他には、反射部材１２を、樹脂部材１１の長手方向を中心に左右にひねる、などの形態を用いることもできる。また、反射部材１２の表面は平滑であってもよい。
【００３５】
反射部材１２は、階段９０の踏み板９０ａに対して傾けて配置してもよい。例えば、図４（Ａ）に示すように、反射部材１２を上面１１ａ側から見た場合に、踏み板９０ａの前縁部９０ｂの方に傾斜するように配置してもよい。これによれば、反射部材１２により反射された光は、階段を上がる人から視認しやすくなるため、階段の上方が暗い場所で好適に用いることができる。また、図４（Ｂ）に示すように、反射部材１２を上面１１ａ側から見た場合に、踏み板９０ａの前縁部９０ｂと反対方向に傾斜するように配置してもよい。これによれば、反射部材１２により反射された光は、階段を下る人から視認しやすくなるため、階段の下方が暗い場所で好適に用いることができる。
【００３６】
反射部材１２は、アルミニウム箔のような銀色だけではなく、各種着色を施したものを用いてもよい。また、図５に示すように、平滑な表面を有する金属箔に文字、図形、模様、商標などを記してもよい。これによれば、滑り止め部材１０から注意喚起の警告や広告などが視認できるようにすることができる。
【００３７】
反射部材１２として、パンチングメタルのような穴のあいた部材を用いることもできる。
【００３８】
反射部材１２は、樹脂部材１１の厚さ方向に複数層設けることもできる。
【００３９】
樹脂部材１１は、視認性を損なわない程度に一部に透光性を有していない樹脂を用いてもよい。また、色調を変えることもできる。例えば、長手方向の左右で色調を変えて通路を区画することもできる。
【００４０】
［第１実施形態の効果］
（１）第１実施形態の滑り止め部材２０によれば、樹脂部材１１に入射した光を滑り止め部材１０から反射光として出射することができるので、夜間など通路が暗い場合にも、滑り止め部材１０からの反射光により、滑り止め部材１０を視認しやすくすることができる。これにより、階段９０の段差を視認しやすくすることができ、通行の安全を確保することができる。また、光ファイバーやＬＥＤなどの外部照明装置を用いる必要がないため、安価に製造することができる。
【００４１】
（２）反射部材１２は、薄板状の材料により形成されているため、光を反射する面の面積を大きくすることができるので、滑り止め部材１０を視認しやすくすることができる。また、反射部材１２の表面に不規則な凹凸部１２ａが形成されているため、樹脂部材１１に入射した光が凹凸部１２ａにおいて乱反射し、光源がどの方向にあっても光を反射することができる。これにより、滑り止め部材１０を一層視認しやすくすることができる。
【００４２】
［第２実施形態］
この考案に係る滑り止め部材の第２実施形態について、図を参照して説明する。図６は、第２実施形態の滑り止め部材の構造を示す説明図である。図６（Ａ）は、滑り止め部材を上面側から見た平面図であり、図６（Ｂ）は、図６（Ａ）のＢ−Ｂ矢視断面図である。
なお、第１実施形態と同様の構成については、同じ符号を使用するとともに説明を省略する。
【００４３】
図６（Ａ）及び（Ｂ）に示すように、滑り止め部材２０では、反射部材２２が箔状部材からなる複数の小片から形成されており、樹脂部材１１の中に分散して埋設されている。反射部材２２は、外寸が樹脂部材１１の上面１１ａと下面１１ｃとの間隔、つまり、厚さより小さくなるように形成されており、本実施形態では、反射部材２２は、２ｍｍ角のアルミニウム箔により形成されている。
【００４４】
このような構成の滑り止め部材２０によれば、樹脂部材１１に入射した光を滑り止め部材１０から反射光として出射することができるので、夜間など通路が暗い場合にも、滑り止め部材１０からの反射光により、滑り止め部材１０を視認しやすくすることができる。これにより、階段９０の段差を視認しやすくすることができ、通行の安全を確保することができる。また、光ファイバーやＬＥＤなどの外部照明装置を用いる必要がないため、安価に製造することができる。
【００４５】
反射部材２２の小片は乱雑な方向を向いているため、樹脂部材１１に入射した光を広い範囲に反射させることができるので、光源の位置にかかわらず滑り止め部材２０を視認しやすくすることができる。
【００４６】
滑り止め部材２０は、樹脂材料に反射部材２２を混ぜて分散させて、所定の型に流し込んで硬化させるだけで製造することができる。また、厚さ方向に大きく形成したブロックを作製し、薄くスライスして製造することもできる。これにより、製造工程を少なくすることができ、コストを下げることができる。
【００４７】
本実施形態では、反射部材２２として箔状の小片を用いたが、これに限定されるものでなく、例えば、粒状部材、粉状部材などを用いることもできる。
【００４８】
［第２実施形態の効果］
第２実施形態の滑り止め部材によれば、第１実施形態の効果（１）と同様の効果を奏することができるとともに、反射部材２２の小片が乱雑な方向を向いているため、樹脂部材１１に入射した光を広い範囲に反射させることができるので、光源の位置にかかわらず滑り止め部材２０を視認しやすくすることができる。また、製造工程を少なくすることができ、コストを下げることができる。
【００４９】
［第３実施形態］
この考案に係る滑り止め部材の第３実施形態について、図を参照して説明する。図７は、第３実施形態の滑り止め部材の構造を示す説明図である。図７（Ａ）は、滑り止め部材を上面側から見た平面図であり、図７（Ｂ）は、図７（Ａ）のＣ−Ｃ矢視断面図である。図８及び図９は、第３実施形態の滑り止め部材の変更例を示す平面図である。
なお、第１実施形態と同様の構成については、同じ符号を使用するとともに説明を省略する。
【００５０】
滑り止め部材３０では、反射部材３２が線状の部材により形成されている。図７（Ａ）及び（Ｂ）に示すように、反射部材３２は、階段９０の踏み板９０ａに平行に、樹脂部材１１の長手方向に沿って埋設されている。本実施形態では、反射部材２２は、直径１ｍｍのステンレス線材により形成されており、厚さ方向に２本ずつ、幅方向に７本ずつの計１４本が設けられている。
【００５１】
このような構成の滑り止め部材３０によれば、樹脂部材１１に入射した光を滑り止め部材１０から反射光として出射することができるので、夜間など通路が暗い場合にも、滑り止め部材１０からの反射光により、滑り止め部材１０を視認しやすくすることができる。これにより、階段９０の段差を視認しやすくすることができ、通行の安全を確保することができる。また、光ファイバーやＬＥＤなどの外部照明装置を用いる必要がないため、安価に製造することができる。ここで、反射部材２２の線材の断面形状は、円形に限らず、例えば、四角形、楕円形などでもよい。また、線材の配置は任意であり、自由に選択することができる。
【００５２】
滑り止め部材３０は、ステンレス線材を所定の位置に配置した後に、樹脂材料で埋設し、スライスなどの加工を行うことにより製造することができる。これにより、製造工程を少なくすることができ、コストを下げることができる。
【００５３】
（変更例）
図８に示すように、線状の部材により反射部材３２を網目状に形成することもできる。これによれば、網目状の部材を作製し、所定の形状に切り出して反射部材３２を製造することができ、滑り止め部材３０を容易に製造することができる。
【００５４】
図９に示すように、反射部材３２をスチールウールのような綿状に形成することもできる。これによれば、反射部材３２の表面が乱雑な方向を向いているため、樹脂部材１１に入射した光を広い範囲に反射させることができるので、光源の位置にかかわらず滑り止め部材３０を視認しやすくすることができる。
【００５５】
［第３実施形態の効果］
（１）第３実施形態の滑り止め部材によれば、第１実施形態の効果（１）と同様の効果を奏することができる。
【００５６】
（２）反射部材３２を綿状に形成すると、反射部材３２の表面が乱雑な方向を向いているため、樹脂部材１１に入射した光を広い範囲に反射させることができるので、光源の位置にかかわらず滑り止め部材３０を視認しやすくすることができる。
【００５７】
［その他の実施形態］
上述した滑り止め部材は、階段９０以外の段差を有する通路に設置することもできる。また、階段９０に設置する場合において、前縁部以外、例えば、踏み板９０ａの中央部などに設置することもできる。
【図面の簡単な説明】
【００５８】
【図１】第１実施形態の滑り止め部材が階段に設置された状況を示す説明図である。
【図２】第１実施形態の滑り止め部材の構造を示す説明図である。図２（Ａ）は、滑り止め部材を上面側から見た平面図であり、図２（Ｂ）は、図２（Ａ）のＡ−Ａ矢視断面図である。
【図３】第１実施形態の滑り止め部材の変更例を示す断面図である。
【図４】第１実施形態の滑り止め部材の変更例を示す断面図である。
【図５】第１実施形態の滑り止め部材の変更例を示す平面図である。
【図６】第２実施形態の滑り止め部材の構造を示す説明図である。図６（Ａ）は、滑り止め部材を上面側から見た平面図であり、図６（Ｂ）は、図６（Ａ）のＢ−Ｂ矢視断面図である。
【図７】第３実施形態の滑り止め部材の構造を示す説明図である。図７（Ａ）は、滑り止め部材を上面側から見た平面図であり、図７（Ｂ）は、図７（Ａ）のＣ−Ｃ矢視断面図である。
【図８】第３実施形態の滑り止め部材の変更例を示す平面図である。
【図９】第３実施形態の滑り止め部材の変更例を示す平面図である。
【符号の説明】
【００５９】
１０    滑り止め部材
１１    樹脂部材
１１ａ  上面
１１ｂ  滑り止め部
１１ｃ  下面
１２    反射部材
１２ａ  凹凸部
９０    階段
９０ａ  踏み板
９０ｂ  前縁部
【図１】
0003140957.tif 000003
【図２】
0003140957.tif 000004
【図３】
0003140957.tif 000005
【図４】
0003140957.tif 000006
【図５】
0003140957.tif 000007
【図６】
0003140957.tif 000008
【図７】
0003140957.tif 000009
【図８】
0003140957.tif 000010
【図９】
0003140957.tif 000011